(57)【要約】【課題】  １つの操作手段で音量調節とチャンネル選局を行うことができ、しかも簡単操作で選局を可能としたテレビジョン装置を提供する。【解決手段】  制御部２１は、ユーザが選局操作部２５（ａ）を操作したかを確認し、チャンネルアドレスのメモリから前回最後に選局されたチャンネルポジション（例えば１〜１２チャンネル）に割当てられたチャンネル番号を読み出す。現在視聴中のチャンネル番号が読み出した番号と同一かどうかを確認し、読み出したチャンネル番号を選局処理する。制御部２１は、ユーザが選局操作部２５（ａ）を再度実行したかを確認し、チャンネルアドレスのメモリ２３から前回選局されたチャンネルポジションの次のポジションに割当てられたチャンネル番号を読み出す。【選択図】図２
2006108930.tif 000002
【特許請求の範囲】
【請求項１】
複数のチャンネルで構成される放送信号を受信するためのチューナと、
放送信号のうち１チャンネル分の映像情報もしくは音声情報の少なくともいずれか一方の情報を受信しデコードするための映像音声情報処理手段と、
映像情報を表示処理するための表示手段と、
音声情報を出力処理するための音声出力手段と、
上記表示手段あるいはスピーカから出力される情報を調整操作するための操作手段を有したテレビジョン装置において、
上記操作手段は、複数のチャンネルのうち１つを選局するための選局操作手段と、音声出力手段から出力された音声情報の出力調整操作を行うための出力調整操作手段とを構成し、
互いの操作手段の操作の方向性はそれぞれ異なることを特徴とするテレビジョン装置。
【請求項２】
請求項１に記載のテレビジョン装置において、
放送信号を構成する複数のチャンネルの中から任意に登録するチャンネルのアドレスを記憶するための記憶手段と、
選局操作手段の選局操作によって、記憶手段に記憶されたチャンネルのアドレスを読み出して選局するように制御することを特徴とするテレビジョン装置。
【発明の詳細な説明】
【技術分野】
【０００１】
本発明は、ジョグダイヤルにより音量調整とチャンネルの選局を簡単に行うことできるテレビジョン装置に関する。
【背景技術】
【０００２】
近年、デジタルテレビ放送に関する技術が確立し、番組数も飛躍的に増えつつある。従って、そのままではユーザが全てのチャンネルの内容を把握できないため、番組雑誌やＥＰＧ（Electric Program Guide）から番組表を確認する必要がある。
こうした多数のチャンネルから１つを選局する操作は、煩雑であるのに加え、近年、持ち歩くことのできる携帯テレビジョン装置が登場し、手に荷物等を持っていることもあり得るので、できるだけ片手で簡単に操作できると、非常に便利である。
このような操作手段として、特許文献１に記載のようなジョグダイヤルがある。
【特許文献１】特開２００４−４８５２４号公報
【発明の開示】
【発明が解決しようとする課題】
【０００３】
特許文献１には、ジョグダイヤルは円盤状のダイヤルを左右に回転させて機器を操作したり、押圧して操作するものが開示されているだけで、携帯用テレビジョン装置において音量調整とチャンネル選局を行う手法は何ら開示されていない。上述したように、数十から数百に及ぶチャンネルから好みのチャンネルを選局するのは、煩雑な操作が必要であり、携帯テレビジョン装置において片手で簡単に操作するのは難しかった。
【０００４】
本発明は、斯かる実情に鑑み、１つの操作手段で音量調節とチャンネル選局を行うことができ、しかも簡単操作で選局を可能としたテレビジョン装置を提供しようとするものである。
【課題を解決するための手段】
【０００５】
本発明は、複数のチャンネルで構成される放送信号を受信するためのチューナと、放送信号のうち１チャンネル分の映像情報もしくは音声情報の少なくともいずれか一方の情報を受信しデコードするための映像音声情報処理手段と、映像情報を表示処理するための表示手段と、音声情報を出力処理するための音声出力手段と、上記表示手段あるいはスピーカから出力される情報を調整操作するための操作手段を有したテレビジョン装置において、上記操作手段は、複数のチャンネルのうち１つを選局するための選局操作手段と、音声出力手段から出力された音声情報の出力調整操作を行うための出力調整操作手段とを構成し、互いの操作手段の操作の方向性はそれぞれ異なることを特徴とする。
【０００６】
また、本発明は、前記テレビジョン装置において、放送信号を構成する複数のチャンネルの中から任意に登録するチャンネルのアドレスを記憶するための記憶手段と、選局操作手段の選局操作によって、記憶手段に記憶されたチャンネルのアドレスを読み出して選局するように制御することを特徴とする。
【発明の効果】
【０００７】
本発明によれば、１チャンネルに映像及び音声情報とが同時に重畳された放送信号に対する選局及び音量調整を一つの操作手段で行うことが可能になるので、これらの操作をテレビジョン装置を片手で所持している状態において、その所持した片手の指一本で指の位置を変えずに操作を容易に行うことが可能になる。
【０００８】
また、１チャンネルに映像及び音声情報とが同時に重畳されたマルチチャンネル形式の放送信号のうち予め設定された好みのチャンネル選局や音量調整といったユーザが即座に行いたい操作を一つの操作手段で行うことが可能になり、更にこれらの操作を有した携帯型のテレビジョン装置を片手で所持している状態において、その所持した片手の指一本で指の位置を変えずに操作を容易に行うことが可能になる。その結果、ユーザが即座にかつ簡単に行いたい操作を迅速かつ容易に行うことが可能になる。
【発明を実施するための最良の形態】
【０００９】
以下、本発明の実施の形態を添付図面を参照して説明する。
図１は、本発明に係るテレビジョン装置の一実施形態を示す外観図であり、図１（ａ）はテレビジョン装置の側面図、図１（ｂ）は平面図、図１（ｃ）はジョグダイヤルの拡大図である。また、図２は、テレビジョン装置を示すブロック図である。
【００１０】
テレビジョン装置１０は、アンテナ１１と、チューナ１２と、Ａ／Ｄ変換器１３と、デコーダ１４と、Ｄ／Ａ変換器（音声データ用）１５と、スピーカ１６と、セレクタ１７と、Ｄ／Ａ変換器（映像データ用）１８と、ディスプレイ１９と、制御部２１と、ＯＳＤコントローラ２２と、メモリ２３と、操作入力部２５とから構成される。制御部２１は、ＣＰＵ２１ａと、メモリ２１ｂとからなる。メモリ２３は、カード式メモリで着脱自在のものでもよいし、固定式のものでもよい。
【００１１】
操作入力部２５は、選局操作部２５（ａ）、音量調整部２５（ｂ）、メニューキー２５（ｃ）、方向指示キー２５（ｄ）、決定キー２５（ｅ）から構成される。テレビジョン装置１０の側面に設けられたジョグダイヤル３０は、選局操作部２５（ａ）と同時に、音量調整部２５（ｂ）でもある。ジョグダイヤル３０を上下に動かすと、音量を調整することになり、テレビジョン装置に押し込むように押すとチャンネル選択を行う。こうして、１つの操作部で選局操作と音量調整を行うことができる。
テレビジョン装置の上面には操作入力部２５のメニューキー２５（ｃ）と、方向指示キー２５（ｄ）と、決定キー２５（ｅ）とが配置されている。
【００１２】
次にテレビジョン装置１０の動作について説明する。
ユーザが操作入力部２５により操作を行うと、制御部２１のメモリ２１ｂに一旦、操作指示情報が格納される。ＣＰＵ２１ａは、メモリ２１ｂに格納されている指示情報に従って処理を行う。まず、ユーザがチャンネル選択を行うと、ＣＰＵ２１は、チューナ１２を制御し、アンテナ１１で受信した信号から目的のチャンネルを選局する。得られた信号をＡ／Ｄ変換器１３でアナログからデジタルへ変換し、デコーダ１４により復号する。復号化された音声信号は、Ｄ／Ａ変換器１５によりアナログ信号に変換されてスピーカ１６から音声として出力される。復号化された映像信号は、Ｄ／Ａ変換器１６によりアナログ信号に変換されてディスプレイ１９に表示される。
【００１３】
制御部２１は、操作入力部２５から指示された内容により、メモリ２３に格納されているデータのうち、操作指示のメッセージボックスデータを選択し、ＯＳＤコントローラ２２によりディスプレイ１９に重ね表示させるデータを発生させ、セレクタ１７によりディスプレイ１９に送出する。
【００１４】
次に、お好みチャンネルの登録操作について説明する。図３は、お好みチャンネルの登録操作の手順を示すフローチャートである。図４は、メモリに登録されているアドレスとチャンネルのデータ表である。以下のユーザが用いる操作入力部２５は、テレビジョン装置の上面にあるメニューキー２５（ｃ）、方向指示キー２５（ｄ）、決定キー２５（ｅ）である。
【００１５】
制御部２１は、ユーザがメニューキー２５（ｂ）を押下すると、制御部２１はメモリ２３からメニューデータをＯＳＤコントローラ２２に出力させ、ディスプレイ１９にメニューを表示させる。制御部２１は、ユーザが方向指示キー２５（ｄ）を操作して「お好みＣＨ登録」を選択したかを確認し（ステップＳ１）、選択していれば、ディスプレイ１９において、現在表示処理中のチャンネルの画像信号に対し、図４（ａ）に示すように、複数のお好みチャンネル割当表とカーソルを重畳表示する（ステップＳ２）。これは、メモリに登録されている図５のデータ表に基づいてＯＳＤコントローラ２２が処理したものである。
【００１６】
ここで、図５のデータ表には、各ＣＨアドレスに割当てられたＣＨ番号は決して同じにならないように設定することになっており、チャンネル登録時に他のＣＨアドレスと同じＣＨ番号になるように設定された際は、「他の選局ポジションのＣＨ番号と同一のＣＨ番号は登録できません」というチャンネル登録できない旨とその理由を付け添えたコメントを画面上に表示処理してもよい。
【００１７】
制御部２１は、ユーザにより、決定キー２５（ｅ）が押下されたかを確認し（ステップＳ３）、押下されていれば、選択されたチャンネルが、選択されたカーソルのアドレスに、メモリ２３に対して既登録であるかを確認する（ステップＳ４）。そうであれば、図４（ｂ）に示すように、その内容（アドレスと登録チャンネル）をディスプレイ１９に表示し、選択項目「上書き」「削除」「キャンセル」を表示する。
【００１８】
制御部２１は、ユーザが項目「上書き」を選択したかを確認し（ステップＳ６）、選択した場合は、図４（ｃ）に示すように、メッセージボックスに『お好み１に○○○を上書きしました』と表示させ、メモリ２３から既登録チャンネルのデータを削除し、選択チャンネルデータをメモリ２３に登録する（ステップＳ９）。
【００１９】
制御部２１は、ユーザが項目「削除」を選択したかを確認し（ステップＳ７）、選択した場合は、図４（ｄ）に示すように、メッセージボックスに『お好み１の○○○を削除しました』と表示させる（ステップＳ１０）。
【００２０】
制御部２１は、ユーザが項目「キャンセル」を選択したかを確認し（ステップＳ８）、選択した場合は、図４（ａ）に示すように、登録処理せずに、図４（ａ）のお好み選局表示状態に戻る（ステップＳ１１）。
【００２１】
ステップＳ４において、選択したチャンネルがメモリに登録されていなければ、図４（ｅ）に示すように、メッセージボックスに『お好み３に登録しました』と表示し、メモリに対してデータ登録処理を行う。
【００２２】
次に、チャンネルの選局手順を説明する。図６は、選局時の操作手順を示すフローチャートである。
【００２３】
制御部２１は、ユーザがジョグダイヤル３０の選局操作部２５（ａ）を操作したかを確認し（ステップＳ２１）、チャンネルアドレスのメモリから前回最後に選局されたチャンネルポジション（例えば１〜１２チャンネル）に割当てられたチャンネル番号を読み出す（ステップＳ２２）。現在視聴中のチャンネル番号が読み出した番号と同一かどうかを確認し（ステップＳ２３）、読み出したチャンネル番号を選局処理する（ステップＳ２４）。
【００２４】
ステップＳ２３において、現在視聴中のチャンネル番号が読み出した番号と同一ではなかった場合、選局切替の処理を行わない（ステップＳ２７）。
【００２５】
制御部２１は、ユーザがジョグダイヤル３０の選局操作部２５（ａ）を再度実行したかを確認し（ステップＳ２５）、チャンネルアドレスのメモリ２３から前回選局されたチャンネルポジションの次のポジションに割当てられたチャンネル番号を読み出し（ステップＳ２６）、ステップＳ２３に戻る。
【００２６】
ジョグダイヤル３０のワンプッシ動作により、メモリ２３に記憶されているお好みチャンネルのアドレスを順に読み出して選局することができるので、携帯用テレビジョン装置を片手で操作が可能である。また、音量調整もジョグダイヤル３０を使用することで、同様に片手操作が可能となる。
【００２７】
なお、本実施形態では、ジョグダイヤルを用いたが、これに限定されるわけではない。音量調整と選局操作の方向がそれぞれ異なるようにして、１つの操作手段で複数の操作が可能となるものであればよい。
【図面の簡単な説明】
【００２８】
【図１】本発明に係るテレビジョン装置の一実施形態を示す外観図である。
【図２】テレビジョン装置を示すブロック図である。
【図３】お好みチャンネルの登録操作の手順を示すフローチャートである。
【図４】登録操作時におけるメッセージボックスの表示説明図である。
【図５】メモリに登録されているアドレスとチャンネルのデータ表である。
【図６】選局時の操作手順を示すフローチャートである。
【符号の説明】
【００２９】
１０  テレビジョン装置
１１  アンテナ
１２  チューナ
１３  Ａ／Ｄ変換器
１４  デコーダ
１５，１８  Ｄ／Ａ変換器
１６  スピーカ
１７  セレクタ
１９  ディスプレイ
２１  制御部
２１ａ  ＣＰＵ
２１ｂ  メモリ
２２  ＯＳＤコントローラ
２３  メモリ
２５  操作入力部
２５（ａ）  選局操作部
２５（ｂ）  音量調整部
２５（ｃ）  メニューキー
２５（ｄ）  方向指示キー
２５（ｅ）  決定キー
３０  ジョグダイヤル
【図１】
2006108930.tif 000003
【図２】
2006108930.tif 000004
【図３】
2006108930.tif 000005
【図４】
2006108930.tif 000006
【図５】
2006108930.tif 000007
【図６】
2006108930.tif 000008